【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
インク調合物用の表面修飾疎水性粘土組成物であって、前記組成物は、
（ｉ）粘土粒子の少なくとも４０％が０．２ミクロン（０．２μｍ）よりも小さく、前記粘土粒子の少なくとも７０％が０．５ミクロン（０．５μｍ）よりも小さく、前記粘土粒子の実質的に全てが５ミクロン（５μｍ）未満であることを特徴とする粒度分布を有する最大９９重量％の前記粘土粒子、及び
（ｉｉ）式［Ｒ１Ｒ２Ｒ３Ｒ４Ｎ＋］［Ｘ−］で表わされ、式中Ｒ１、Ｒ２、Ｒ３、及びＲ４が、独立して炭化水素基又は鎖から選択され、式中Ｘが、一価の陰イオンである、１重量％以上５重量％以下の１つ又は複数の四級アンモニウム化合物、を含む組成物。
【請求項２】
２重量％以上４重量％以下の１つ又は複数の四級アンモニウム化合物を含む、請求項１に記載の組成物。
【請求項３】
前記粘土粒子の少なくとも５０％が、０．２ミクロン（０．２μｍ）よりも小さい、請求項１に記載の組成物。
【請求項４】
前記粘土粒子の少なくとも８０％が、０．５ミクロン（０．５μｍ）よりも小さい、請求項１に記載の組成物。
【請求項５】
前記粘土粒子の実質的に全てが、２ミクロン（２μｍ）未満である、請求項１に記載の組成物。
【請求項６】
前記粘土粒子が、カオリナイト、ディッカイト、ハロイサイト、ナクライト、モンモリライト、又はＡｌ２Ｓｉ２Ｏ５（ＯＨ）４の任意の他の多形を含む無機質のカオリン群から選択される１つ又は複数の粘土を含む、請求項１に記載の組成物。
【請求項７】
前記粘土粒子が、カオリン粘土粒子である、請求項６に記載の組成物。
【請求項８】
Ｒｌ、Ｒ２、Ｒ３、及びＲ４の少なくとも１つが、Ｃ１０〜Ｃ２４鎖から選択される、請求項１に記載の組成物。
【請求項９】
Ｒｌ、Ｒ２、Ｒ３、及びＲ４の少なくとも１つが、Ｃ１〜Ｃ９鎖から選択される、請求項１に記載の組成物。
【請求項１０】
Ｒ１、Ｒ２、Ｒ３、及びＲ４の少なくとも１つが、メチル基である、請求項１に記載の組成物。
【請求項１１】
Ｒ１、Ｒ２、Ｒ３、及びＲ４の２つが、メチル基であり、Ｒ１、Ｒ２、Ｒ３、及びＲ４の他の２つが、Ｃ１６〜Ｃ１８鎖から選択される、請求項１に記載の組成物。
【請求項１２】
Ｘが、有機陰イオンである、請求項１に記載の組成物。
【請求項１３】
Ｘが、無機陰イオンである、請求項１に記載の組成物。
【請求項１４】
Ｘが、ハロゲン化物陰イオンである、請求項１３に記載の組成物。
【請求項１５】
水を更に含む、請求項１に記載の組成物。
【請求項１６】
インク調合物用の表面修飾疎水性粘土組成物であって、前記組成物は、
（ｉ）粘土粒子の少なくとも４０％が０．２ミクロン（０．２μｍ）よりも小さく、前記粘土粒子の少なくとも７０％が０．５ミクロン（０．５μｍ）よりも小さく、前記粘土粒子の実質的に全てが５ミクロン（５μｍ）未満であることを特徴とする粒度分布を有する最大９９重量％の前記粘土粒子、及び
（ｉｉ）四級アンモニウム化合物、有機酸、脂肪酸、有機シラン、有機ポリシラン、及びそれらの組み合せからなる群から選択される１重量％以上１０重量％以下の１つ又は複数の有機化合物、を含む組成物。
【請求項１７】
２重量％以上８重量％以下の前記１つ又は複数の有機化合物を含む、請求項１６に記載の組成物。
【請求項１８】
前記粘土粒子の少なくとも５０％が、０．２ミクロン（０．２μｍ）よりも小さい、請求項１６に記載の組成物。
【請求項１９】
前記粘土粒子の少なくとも８０％が、０．５ミクロン（０．５μｍ）よりも小さい、請求項１６に記載の組成物。
【請求項２０】
前記粘土粒子の実質的に全てが、２ミクロン（２μｍ）未満である、請求項１６に記載の組成物。
【請求項２１】
前記粘土粒子が、カオリナイト、ディッカイト、ハロイサイト、ナクライト、モンモリライト、又はＡｌ２Ｓｉ２Ｏ５（ＯＨ）４の任意の他の多形を含む無機質のカオリン群から選択される１つ又は複数の粘土を含む、請求項１６に記載の組成物。
【請求項２２】
前記粘土粒子が、カオリン粘土粒子である、請求項２１に記載の組成物。
【請求項２３】
ヒートセットインク調合物であって、
（ｉ）溶媒、
（ｉｉ）顔料又は染料、
（ｉｉｉ）樹脂、
（ｉｖ）粘土粒子の少なくとも４０％が０．２ミクロン（０．２μｍ）よりも小さく、前記粘土粒子の少なくとも７０％が０．５ミクロン（０．５μｍ）よりも小さく、前記粘土粒子の実質的に全てが５ミクロン（５μｍ）未満であることを特徴とする粒度分布を有する前記粘土粒子、及び
（ｖ）四級アンモニウム化合物、有機酸、脂肪酸、有機シラン、有機ポリシラン、及びそれらの組み合せからなる群から選択される１重量％以上５重量％以下の１つ又は複数の有機化合物、を含む、ヒートセットインク調合物。
【請求項２４】
前記有機化合物が、式［Ｒ１Ｒ２Ｒ３Ｒ４Ｎ＋］［Ｘ−］で表される四級アンモニウム化合物であり、式中Ｒ１、Ｒ２、Ｒ３、及びＲ４が、独立して炭化水素基又は鎖から選択され、式中Ｘが、一価の陰イオンである、請求項２３に記載のヒートセットインク調合物。
【請求項２５】
Ｒｌ、Ｒ２、Ｒ３、及びＲ４の少なくとも１つが、Ｃ１０〜Ｃ２４鎖から選択される、請求項２４に記載のヒートセットインク調合物。
【請求項２６】
前記有機化合物が、有機酸である、請求項２３に記載のヒートセットインク調合物。
【請求項２７】
前記有機化合物が、少なくとも４つの炭素原子を有する飽和又は不飽和脂肪酸である、請求項２６に記載のヒートセットインク調合物。
【請求項２８】
前記脂肪酸が、ステアリン酸である、請求項２７に記載のヒートセットインク調合物。
【請求項２９】
前記有機化合物が、有機シランである、請求項２３に記載のヒートセットインク調合物。
【請求項３０】
前記有機化合物が、有機ポリシランである、請求項２９に記載のヒートセットインク調合物。
【請求項３１】
前記樹脂が、前記ヒートセットインク調合物中に３５重量％以下で存在する、請求項２３に記載のヒートセットインク調合物。
【請求項３２】
前記樹脂が、前記ヒートセットインク調合物中に２５重量％以下で存在する、請求項３１に記載のヒートセットインク調合物。
【請求項３３】
前記粘土粒子が、前記ヒートセットインク調合物中に５重量％以上で存在する、請求項２３に記載のヒートセットインク調合物。
【請求項３４】
前記粘土粒子が、前記ヒートセットインク調合物中に１０重量％以上で存在する、請求項３３に記載のヒートセットインク調合物。
【請求項３５】
ＵＶ硬化可能なインク調合物であって、
（ｉ）溶媒、
（ｉｉ）顔料又は染料、
（ｉｉｉ）樹脂、
（ｉｖ）粘土粒子の少なくとも４０％が０．２ミクロン（０．２μｍ）よりも小さく、前記粘土粒子の少なくとも７０％が０．５ミクロン（０．５μｍ）よりも小さく、前記粘土粒子の実質的に全てが５ミクロン（５μｍ）未満であることを特徴とする粒度分布を有する前記粘土粒子、及び
（ｖ）四級アンモニウム化合物、有機酸、脂肪酸、有機シラン、有機ポリシラン、及びそれらの組み合せからなる群から選択される１重量％以上５重量％以下の１つ又は複数の有機化合物、を含む、ＵＶ硬化可能なインク調合物。
【請求項３６】
前記有機化合物が、式［Ｒ１Ｒ２Ｒ３Ｒ４Ｎ＋］［Ｘ−］で表される四級アンモニウム化合物であり、式中Ｒ１、Ｒ２、Ｒ３、及びＲ４が、独立して炭化水素基又は鎖から選択され、式中Ｘが、一価の陰イオンである、請求項３５に記載のＵＶ硬化可能なインク調合物。
【請求項３７】
Ｒｌ、Ｒ２、Ｒ３、及びＲ４の少なくとも１つが、Ｃ１０〜Ｃ２４鎖から選択される、請求項３６に記載のＵＶ硬化可能なインク調合物。
【請求項３８】
前記有機化合物が、有機酸である、請求項３５に記載のＵＶ硬化可能なインク調合物。
【請求項３９】
前記有機化合物が、少なくとも４つの炭素原子を有する飽和又は不飽和脂肪酸である、請求項３８に記載のＵＶ硬化可能なインク調合物。
【請求項４０】
前記脂肪酸が、ステアリン酸である、請求項３９に記載のＵＶ硬化可能なインク調合物。
【請求項４１】
前記有機化合物が、有機シランである、請求項３５に記載のＵＶ硬化可能なインク調合物。
【手続補正２】
【補正対象書類名】明細書
【補正対象項目名】発明の名称
【補正方法】変更
【補正の内容】
【発明の名称】インク光沢を維持しつつ、ヒートセットインク調合物中のインク粘土配合量を増加させるための組成物及びそれから生産されるインク調合物